(57)【要約】【課題】簡易な制御で且つ安価な構造で、刃部の除菌効果を得ること。【解決手段】体毛処理器具の刃部が着脱自在に挿入される乾燥用空間４と、乾燥用空間４に挿入された刃部を乾燥するためのヒータ６とファン７とを備えると共に、ヒータ６とファン７とを同時に駆動する乾燥運転モードと、ファン７を止めてヒータ６のみを単独で駆動する除菌運転モードとの各運転モードを実行できるように、ヒータ６とファン７のそれぞれの出力を制御するための制御部を備えた体毛処理器具用乾燥器１である。【選択図】図１
2008279209.tif 000002
【特許請求の範囲】
【請求項１】
体毛処理器具の刃部が着脱自在に挿入される乾燥用空間と、上記乾燥用空間に挿入された刃部を乾燥するためのヒータとファンとを備えると共に、上記ヒータとファンとを同時に駆動する乾燥運転モードと、上記ファンを止めてヒータのみを単独で駆動する除菌運転モードとの各運転モードを実行できるようにヒータとファンのそれぞれの出力を制御するための制御部を備えていることを特徴とする体毛処理器具用乾燥器。
【請求項２】
上記制御部は、ヒータとファンとを同時に駆動して温風により刃部を乾燥する乾燥運転モードを所定時間実行し、その後、ファンを止めてヒータのみを駆動して伝熱により刃部を加熱する除菌運転モードを所定時間実行するように構成されていることを特徴とする請求項１記載の体毛処理器具用乾燥器。
【請求項３】
上記制御部は、除菌運転モード時において刃部の温度を６５℃以上で且つ１０分以上加熱できる条件となるように上記ヒータを制御することを特徴とする請求項１又は２記載の体毛処理器具用乾燥器。
【発明の詳細な説明】
【技術分野】
【０００１】
本発明は、体毛処理器具用乾燥器に関し、詳しくは体毛処理器具の刃部を除菌して衛生的な状態に保持するための体毛処理器具用乾燥器に関するものである。
【背景技術】
【０００２】
体毛処理器具としての電気かみそりの刃部には、髭屑や顔の脂分が付着しやすく、これらはブラシなどによる清掃では除去が困難であり、また臭いも残りやすい。
【０００３】
そこで従来から、かみそりヘッド内部に乾燥用の熱を発する発熱部と、刃部を覆って保護する保護部材とを設け、保護部材に発熱部の熱で刃部を乾燥するようにした電気かみそりが知られている（例えば、特許文献１参照）。
【０００４】
ところが上記特許文献１に見られる従来例では、かみそりヘッドの内部に発熱部や保護部材を内蔵しているため、部品数が増加して構造の複雑化、大型化を招くといった問題がある。
【０００５】
そこで、最近は、電気かみそりとは別体のシェーバー用洗浄乾燥器が市販されている。この種のシェーバー用洗浄乾燥器では、上面が開放された洗浄空間内部に刃部を上下逆さにして挿入し、洗浄空間内部で刃部の洗浄と乾燥とを自動的に行なうものであるが、この種のシェーバー用洗浄乾燥器では、刃部の洗浄後に風を当てて乾燥させる方式であるため、刃部の刃面や刃穴などにこびりついた雑菌が十分に除菌されずに残り、刃部を衛生的な状態に保持できないという問題がある。
【特許文献１】特開２００５−１９９０８３号公報
【発明の開示】
【発明が解決しようとする課題】
【０００６】
本発明は上記の従来の問題点に鑑みて発明したものであって、簡易な制御で且つ安価な構造で、体毛処理器具の刃部の除菌効果が得られる体毛処理器具用乾燥器を提供することを課題とするものである。
【課題を解決するための手段】
【０００７】
前記課題を解決するために本発明は、体毛処理器具３０の刃部３２が着脱自在に挿入される乾燥用空間４と、上記乾燥用空間４に挿入された刃部３２を乾燥するためのヒータ６とファン７とを備えると共に、上記ヒータ６とファン７とを同時に駆動する乾燥運転モードと、上記ファン７を止めてヒータ６のみを単独で駆動する除菌運転モードとの各運転モードを実行できるようにヒータ６とファン７のそれぞれの出力を制御するための制御部２６を備えていることを特徴としている。
【０００８】
このような構成とすることで、刃部３２の除菌運転時には、乾燥に使用するヒータ６からの熱が刃部３２に伝えられて刃部３２の刃面３３や刃穴などにこびりついた雑菌を刃部３２自体の加熱によって十分に除菌できるようになる。従って、除菌専用の部材や機構を別途設ける必要がないので、簡易な制御で且つ安価な構造で、除菌効果が得られるものである。
【０００９】
また、上記制御部２６は、ヒータ６とファン７とを同時に駆動して温風により刃部３２を乾燥する乾燥運転モードを所定時間実行し、その後、ファン７を止めてヒータ６のみを単独で駆動して伝熱により刃部３２を加熱する除菌運転モードを所定時間実行するように構成されているのが好ましく、この場合、ファン７とヒータ６の両方を同時駆動させた後で、ヒータ６のみの単独駆動に切り換えるだけで、制御部２６によるヒータ６とファン７の出力制御を容易にしながら、乾燥運転と除菌運転とを順次的に実行することができる。
【００１０】
また、上記制御部２６は、除菌運転モード時において刃部３２の温度を６５℃以上で且つ１０分以上加熱できる条件となるように上記ヒータ６を制御するのが好ましく、この場合、刃部３２の除菌運転時に、単独で駆動されるヒータ６の温度を６５℃以上に高く設定することで、刃部３２の温度を高めることができ、除菌効果を高めることができる。
【発明の効果】
【００１１】
本発明に係る体毛処理器具用乾燥器は、ヒータとファンのそれぞれの出力を制御することにより、乾燥運転モードと除菌運転モードとを実行できると共に、乾燥に使用するヒータを単独運転することで除菌運転ができるので、除菌専用の部材や機構を別途設ける必要がなくなり、簡易な制御で且つ安価な構造で、刃部の除菌効果が得られるものである。
【発明を実施するための最良の形態】
【００１２】
以下、本発明を添付図面に示す実施形態に基いて説明する。
【００１３】
図１、図２、図３は本発明の体毛処理器具用乾燥器１（以下「乾燥器１」と略す）を示し、図４、図５は乾燥器１に体毛処理器具３０の刃部３２を挿入した状態の説明図である。以下の例では、体毛処理器具３０として往復式電気かみそりを例示する。
【００１４】
乾燥器１は、箱形状をしたケーシング２の内部に乾燥用空間４を設けて構成されている。乾燥用空間４の上面はケーシング２の上面に開放された刃部挿入口４ｂに連通しており、刃部３２を下向きにして刃部挿入口４ｂから乾燥用空間４内に着脱自在に挿入できるようになっている。乾燥用空間４の底面には、後述する刃部３２を受けるための刃受け皿５が配置されている。
【００１５】
上記ケーシング２の背面には吸気口１６が設けられ、ケーシング２内部に設けた側面視で略Ｕ型に折れ曲がった導風路８の一端部が吸気口１６に連通している。導風路８の他端部は後述する刃受け皿５に設けた通風孔９を介して乾燥用空間４内部に連通している。
【００１６】
上記導風路８の上流側には送風用のファン７が配置されている。ファン７は、例えば、回転音が小さくて静音化、長寿命化であるブラシレスファンが用いられる。ファン７の下流には、後述する刃受け皿５の裏面に取り付けられる加熱用のヒータ６が配置されている。
【００１７】
図７、図８は、乾燥用空間４の底面に配置されて刃部３２を受ける刃受け皿５の一例を示している。この刃受け皿５は、上方に開放された断面略Ｕ字状に形成されていると共に、刃受け皿５の外周部は筒状壁５ａとなっており、筒状壁５ａによってヒータ６からの熱が刃部３２に行き渡るようになると共に熱が刃受け皿５の外部に漏れないようにしている。本例では刃受け皿５は弾性体で構成されている。弾性体として例えばシリコンゴムが用いられている。シリコンゴムは可撓性と熱伝導性とに優れており、刃面３３（図７（ｂ））を痛めない状態で刃部３２を安定して保持でき且つ刃受け皿５の裏面に取り付けたヒータ６からの熱を刃部３２へ伝えやすくする。勿論刃受け皿５の材質はシリコンゴムに限らず、熱伝導性に優れた弾性素材であればよい。
【００１８】
上記刃受け皿５の中央部には、図７（ａ）（ｂ）（ｅ）に示すように、刃部３２の長さ方向に沿って細長く延びた通風孔９が穿孔されており、この通風孔９を介して上記乾燥用空間４と上記導風路８とが互いに連通される。
【００１９】
上記刃受け皿５の表面には、通風孔９と直交する方向に延びた凸状のリブ２２が突設されている。この凸状のリブ２２は、刃部３２の長さ方向に等間隔をあけて複数条設けられており、図７（ｂ）に示すように、各リブ２２の上面が刃部３２の刃面３３の載置面となっており、各リブ２２上面に刃部３２を載置した状態で上記通風孔９が刃部３２の刃面３３に臨んで配置されるものであり、このとき通風孔９が刃面３３に設けた複数の刃穴と対面し、通風孔９からの風を複数の刃穴を通して体毛処理ヘッド３４内部の毛屑室まで送風できるようになっている。
【００２０】
上記刃受け皿５の裏面には、図７、図８に示すように、ヒータ６を取り付けるためのヒータ取付凹部１１が設けられている。ヒータ６は、図９に示すように、筒形のヒータ基台６ａ、枠形のヒータ板６ｂ、環状のヒータ線６ｃ、温度ヒューズ６ｄを備えると共に、サーミスタからなるヒータ温度検出部３５、ヒータ回路基板等を備えている。
【００２１】
また、上記刃受け皿５の裏面には、ヒータ６の内側を貫通するように通風管１３が設けられている。この通風管１３の一端は上記通風孔９の一端に連通しており、通風管１３の他端は導風路８と連通している。なお図７〜図９中の１２は通風管１３から突出するつまみ片であり、つまみ片１２を指でつまむことによって刃受け皿５の裏面のヒータ取付凹部１１内へのヒータ６の取り付け作業が容易となる。
【００２２】
さらに、上記刃受け皿５の表面に設けられる複数の凸状のリブ２２間には、図７（ａ）（ｂ）に示すように、リブ２２上面よりも凹んだ凹状の溝２３がそれぞれ形成されており、各溝２３の一端部にはそれぞれ水抜孔１０が設けられている。水抜孔１０は、水洗いした刃部３２から滴下する水滴を刃受け皿５の下方に排水するためのものであり、本例では、水抜孔１０は、図１に示すように、ファン７から通風孔９に至る導風路８部分の底面部８ａの上方位置に配置されている。この底面部８ａは送風方向Ａと反対方向に下り傾斜した勾配Ｂを有しており、水抜孔１０から流れ落ちる水を底面部８ａの勾配Ｂの方向（送風方向Ａと逆方向）に向けて排水する。さらに底面部８ａの下端縁はケーシング２の底部に設けたトレイ２５に向けて開口しており、排水はトレイ２５内に溜められるようになっている。このトレイ２５はケーシング２の底部から取り外し可能とされているが、水抜孔１０から流れる水は少量なのでトレイ２５に溜まる水量は少なくて蒸発しやすいため、トレイ２５の清掃回数は少なくて済む。
【００２３】
一方、上記ケーシング２の乾燥用空間４の上面には、刃部挿入口４ｂを覆うことができる開閉自在な蓋３が設けられている。蓋３の後端部は、ケーシング２の後部上端に対して図示省略した回動軸を介して上下回りに回転自在に連結されていると共に、回動軸に取り付けたねじりバネによって常に開く方向にバネ付勢されており、蓋３を閉じるとロック釦１７のロック機構が働いて閉じた状態で保持され、ロック釦１７を解除操作するとロック機構が外れて蓋３はねじりバネによって上方に跳ね上がり、開いた状態で保持されるようになっている。
【００２４】
本例の蓋３は、乾燥運転時に上方に開かれると共に開かれた状態では、刃部３２を下向きにした上下逆さ姿勢の体毛処理器具本体３１を安定支持することができる支持柱として機能する。つまり、蓋３の裏面３ｂは、図２（ｂ）、図４に示すように、上下逆さ姿勢の体毛処理器具本体３１の背面形状に沿って凹曲しており、体毛処理器具本体３１の背もたれとして利用できるようになっている。図４及び図５は、体毛処理器具３０として往復電気かみそりを例示している。体毛処理器具本体３１は、乾燥器１に設けた充電用端子１５からの電源供給を受けて充電される二次電池、モータ、スイッチ等を備えており、体毛処理器具本体３１の上端に装着される体毛処理ヘッド３４には、ネット状の外刃と、外刃に摺接して往復駆動する内刃等で構成される刃部３２が設けられている。
【００２５】
また、上記蓋３は、乾燥器１の不使用時には閉じられると共に閉じられた状態では、図１、図２（ａ）、図３に示すように、刃部３２を上向きにした起立姿勢の体毛処理器具本体３１を保持することができる突起部１４を備えている。この突起部１４は蓋３の表面３ａ中央側に設けられ、蓋３を閉じた状態で突起部１４が外部に露出した状態となり、体毛処理器具本体３１の底面に設けた接続端子を突起部１４に差し込むことにより、図６に示すように、体毛処理器具本体３１を起立姿勢で保持できるようになっている。また本例では突起部１４に体毛処理器具本体３１への充電を行なうための充電用端子１５が一体に設けられており、体毛処理器具本体３１の接続端子を突起部１４に差し込むことで充電用端子１５が体毛処理器具本体３１の接続端子に電気的に接触して二次電池の充電が行なわれるようにしてある。
【００２６】
上記ケーシング２の前面には、図２に示すように、蓋３のロック釦１７と、乾燥器１の運転時に発光するＬＥＤ１８と、乾燥器１の動作を指令するメインスイッチ２０とが設けられている。ＬＥＤ１８は例えば青色ＬＥＤからなり、運転時に発光して乾燥器１の動作表示を行なうと同時に、刃部３２に向かって紫外線を照射して除菌する機能も併せ持っている。なおＬＥＤ１８の表面はＬＥＤカバー１９で遮蔽されているので、紫外線が外部の人の目に直接入らず安全である。
【００２７】
また、上記ケーシング２の乾燥用空間４の背面４ａには安全スイッチ２１が設けられている。安全スイッチ２１はバネ２４（図５）により乾燥用空間４の背面４ａから突出してオフ状態に保たれており（図１の状態）、この状態ではメインスイッチ２０をオン状態に切換え不能とする。
【００２８】
ここで、本発明においては、上記ヒータ６とファン７の出力をそれぞれ制御するためのマイコンにより構成される制御部２６を備えている。図１０は、乾燥器１の動作開始から終了に至るまでに実行される運転モードを示しており、乾燥運転時にはヒータ６とファン７とが同時に駆動し、除菌運転時にはファン７を止めてヒータ６のみを単独で駆動し、冷却運転時にはヒータ６を止めてファン７のみを単独で駆動するものである。図１１は制御部２６に関連するブロック図であり、刃面温度演算部３７とヒータ制御部３８とファン制御部３９とを備えていると共に、メインスイッチ２０と安全スイッチ２１の切り換え状態を検知する検知回路や、運転モードを実行する時間をカウントするタイマー回路等を備えている。
【００２９】
図１２は、ヒータ６の制御フローの一例である。乾燥運転時及び除菌運転時において、それぞれ、ヒータ６は、ヒータ温度検出部３５及び環境温度検出部３６の検出結果に基づいてオン／オフ制御される。ステップｎ１、ｎ２で、サーミスタからなるヒータ温度検出部３５によってヒータ温度が検出され、さらに室温センサからなる環境温度検出部３６で室温が検出され、ステップｎ３でこれらの検出結果が刃面温度演算部３７に送られて刃面温度が求められ、ステップｎ４〜ｎ７で刃面温度が予め定めた規定値になるようにヒータ６をオン／オフ制御すると共に、このオン／オフ制御を予め定めた時間が経過するまで継続して行なうものである。
【００３０】
次に、上記乾燥器１の使用動作の一例を説明する。
【００３１】
先ず、図２（ｂ）のように蓋３を開き、水洗いした刃部３２を下向きにしてケーシング２の刃部挿入口４ｂから乾燥用空間４内に挿入して刃受け皿５に載置する（図４、図５の状態）。このとき上下逆さ姿勢となる体毛処理器具本体３１が開いた蓋３の裏面３ｂで安定良く支持されるようになると共に、体毛処理器具本体３１の背面部分が安全スイッチ２１を押してオン状態とする。
【００３２】
その後、メインスイッチ２０を押すとオン状態に切り換わり、運転が開始する。このとき、安全スイッチ２１がオン状態になっていない限り、メインスイッチ２０のオン操作を行なっても運転は開始されない。
【００３３】
メインスイッチ２０が押されると、制御部２６は最初に乾燥運転モードを実行して、ヒータ６とファン７の両方を同時にオン状態にする。これによりファン７からの風がヒータ６からの熱によって加熱され、温風となって図１の矢印Ａで示す方向に導風路８から刃受け皿５に設けた通風孔９を介して刃部３２に向かって吹き付けられることで、刃部３２が乾燥される。この乾燥運転では、ファン７を常時オン状態とし、ヒータ６を、ヒータ温度検出部３５及び環境温度検出部３６の検出結果に基づいて図１２のようなオン／オフ制御を行なう。このとき、刃部３２の刃面温度が図１３のラインＬ１で示すような温度レベルとなるようにヒータ温度を制御する。乾燥運転時間（図１３のｔ０→ｔ１）は、約２時間程度とする。
【００３４】
その後、約２時間が経過すると、乾燥運転モードから除菌運転モードへ移行し、ファン７を常時オフ状態とし、ヒータ６を、ヒータ温度検出部３５及び環境温度検出部３６の検出結果に基づいて図１２のようなオン／オフ制御を行なう。このときヒータ温度を６５℃以上に設定する。これにより、ヒータ６からの熱がシリコンゴム製の刃受け皿５を介して刃部３２に効率よく伝わり、刃部３２の刃面温度が図１３のラインＬ２で示すような高い温度レベルとなり、除菌が行なわれる。除菌運転時間（図１３のｔ１→ｔ２）は２０分程度とする。
【００３５】
その後、約２０分が経過すると、除菌運転モードから冷却運転モードへ移行し、ヒータ６を常時オフ状態とし、ファン７を常時オン状態とすることにより、ケーシング２の吸気口１６からの外気が導風路８を介して刃受け皿５の通風孔９から噴き出して刃部３２を冷却する。冷却運転時間は１０分程度とする。
【００３６】
その後、約１０分が経過すると、冷却運転モードが終了し、ヒータ６とファン７の両方がオフ状態となって運転が終了する。その後、体毛処理器具３０を取り外すと安全スイッチ２１がオフとなり、蓋３を閉じると、安全スイッチ２１の働きによってメインスイッチ２０を押してもオン状態とならず安全に保たれる。
【００３７】
しかして、上記乾燥器１のメインスイッチ２０のオン操作だけで、乾燥→除菌→冷却の一連の動作が自動的に実行されるものであり、しかも、刃部３２を洗った後、すぐにそのまま乾燥用空間４に差し込んでメインスイッチ２０を押せば良いので、使用者の手間を一切必要としなくなり、そのうえタイマー回路によって、ヒータ６のオン・オフ、ファン７のオン・オフを自動化できるので、乾燥時間、除菌時間、冷却時間をそれぞれ、自動的に制御でき、従って、無駄な電力消費を防止しながら、水洗い後の乾燥→除菌→冷却を効率よく短時間で行なうことができる。つまり、ヒータ６とファン７の両方をオン、ヒータ６のみをオン、ファン７のみをオンとするだけの簡単な制御で、乾燥運転と除菌運転と冷却運転とを順次的に実行することができる。
【００３８】
また上記乾燥運転時には、ヒータ６とファン７とで生成される温風が、導風路８から刃受け皿５に設けた通風孔９を介して、下向きの刃部３２の刃面３３に向かって下方から直接当たるようになる。従って、刃部３２を刃受け皿５で下から受け止める構造でありながら、刃部３２の刃面３３に向かって下方から温風を直接当てて効率よく乾燥させることができる。また本例では、刃受け皿５の裏面にヒータ６を配置した構造でありながら、ヒータ６の内側を貫通するように通風管１３を設けることで、刃受け皿５の裏面側から通風孔９へ至る風の通路を確保できるようになり、また、通風孔９からの温風が刃部３２の刃穴を通して体毛処理ヘッド３４内部に送風されるようにしたので、体毛処理ヘッド３４の毛屑室内部まで温風を行き渡らせることができるようになり、刃部３２のみならず体毛処理ヘッド３４内部まで十分に乾燥できるようになる。この結果、従来のように体毛処理ヘッド３４の側面に風を当てて刃部３２を乾燥させる場合と比較して、刃部３２の乾燥時間を大幅に短縮できるものである。
【００３９】
また上記除菌運転時には、シリコンゴム製の刃受け皿５の裏面にヒータ６を取り付け、除菌運転時には、ヒータ温度を６５℃以上に高く設定することで、ヒータ６からの熱が刃受け皿５を介して刃部３２に伝わりやすくなり、刃面３３や刃穴などにこびりついた雑菌の除菌効果を高めることができる。また本例では、乾燥器１の動作表示用の青色ＬＥＤ等のＬＥＤ１８からの紫外線を刃部３２に当たるようにしているので、ヒータ６による加熱とあいまって除菌効果がさらに高められるようになる。
【００４０】
また上記冷却運転によって高温で除菌された直後の刃部３２が使用可能な温度まで低下させることができるので、除菌後の刃部３２を安全に使用できる。
【００４１】
また本例では、乾燥器１の使用時に開いた状態の蓋３が体毛処理器具本体３１を支持する支持柱として機能するので、開いた蓋３が体毛処理器具本体３１の背もたれとなって安定良く支持できるようになると共に乾燥用空間４に挿入した刃部３２を刃受け皿５に対して安定良く密着させることができる利点がある。
【００４２】
また、不使用時には蓋３を閉じて、乾燥用空間４の刃部挿入口４ｂを覆うことができるので、乾燥用空間４内へのホコリやゴミの侵入を防止でき、細菌繁殖や悪臭発生の原因をなくすことができ、ケーシング２内部を常に衛生的な状態に保持できるようになる。そのうえ可燃性のホコリやごみが溜まるおそれもないので、特に除菌運転時においてヒータ温度を高く設定でき、これにより除菌効果を高めることができると共に除菌に要する時間を短縮できる利点がある。
【００４３】
また、蓋３の表面３ａに設けた突起部１４により、刃部３２を上向きにした起立姿勢で体毛処理器具本体３１を保持できるようにしたので、乾燥器１を体毛処理器具用スタンドとして利用できるようになり、不使用時に邪魔になることがない。また本例では突起部１４に充電用端子１５を設けているので、突起部１４にて体毛処理器具本体３１を起立姿勢で保持した状態で、突起部１４に設けた充電用端子１５によって体毛処理器具本体３１の充電を行なうことができ、乾燥器１を充電用スタンドとしても利用できるようになり、乾燥器１の機能拡大を図ることができる利点がある。
【００４４】
さらに本例では、水洗いした刃部３２に水滴がついていても、その水滴は刃受け皿５の凹状の溝２３に設けた水抜孔１０から排水されるので、刃受け皿５上に水滴が溜まることがなく、刃部３２の乾燥の妨げになることがない。さらに、水抜孔１０から落下する水滴は、導風路８の傾斜した底面部８ａを伝ってトレイ２５に排水されるので、刃受け皿５に水抜孔１０を開口するだけで、ケーシング２内部に専用の排水路を設けなくてもよいため、排水性を良くしながら構造の簡素化を図ることができる利点もある。
【００４５】
なお前記実施形態では、乾燥器１の吸気口１６をケーシング２の背面に設けたが、ケーシング２の底面に設けてもよい。なおこの場合は、導風路８が上下に延びる形状となり、ケーシング２の上下寸法が必然的に高くなる。そのため、ケーシング２の上下寸法を短くして安定化を図る観点からは、前記実施形態のように導風路８をＵ字状に屈曲させて、ケーシング２の背面に設けた吸気口１６に連通させる構造とするのが望ましい。
【００４６】
また前記実施形態では、充電用端子１５を、体毛処理器具本体３１を起立姿勢で保持する蓋３の突起部１４に設けた場合を例示したが、突起部１４とは別の部位に設けてもよい。例えば、蓋３の裏面３ｂに充電用端子を設けることにより、蓋３の裏面３ｂで体毛処理器具本体３１を支持した状態で体毛処理器具本体３１の背面に設けた接続端子が蓋３の裏面３ｂに設けた充電用端子１５に接続されるようにしてもよい。さらに他例として、充電用端子１５をケーシング２内の乾燥用空間４の背面４ａに設け、刃部３２を乾燥用空間４に挿入した状態で体毛処理器具本体３１の背面に設けた接続端子が充電用端子１５に接続されるようにしてもよい。これらいずれの場合も、刃部３２の乾燥・除菌運転と同時に、体毛処理器具本体３１の充電を行なうことができるので、使い勝手が良くなる。
【００４７】
本発明の体毛処理器具用乾燥器は、電気かみそりの刃部に限らず、体毛を切断又は引き抜いて処理する体毛処理装置の刃部の乾燥・除菌にも広く適用できるものである。
【図面の簡単な説明】
【００４８】
【図１】本発明の一実施形態の体毛処理器具用乾燥器の側面断面図である。
【図２】（ａ）は同上の体毛処理器具用乾燥器の蓋を閉じた斜視図であり、（ｂ）は蓋を開いた斜視図である。
【図３】（ａ）〜（ｅ）は同上の体毛処理器具用乾燥器の正面図、平面図、底面図、側面図、背面図である。
【図４】（ａ）〜（ｄ）は同上の体毛処理器具用乾燥器を用いて刃部の乾燥、除菌を行なう場合の斜視図、正面図、背面図、平面図である。
【図５】同上の体毛処理器具用乾燥器を用いて刃部の乾燥、除菌を行なう場合の側面断面図である。
【図６】同上の体毛処理器具の充電動作の説明図である。
【図７】（ａ）〜（ｅ）は同上の刃受け皿の平面図、側面断面図、正面図、側面図、底面図である。
【図８】（ａ）は同上の刃受け皿を上方から見た斜視図、（ｂ）は下方から見た斜視図、（ｃ）は（ａ）のＣ―Ｃ線断面図、（ｄ）は（ｂ）のＤ―Ｄ線断面図である。
【図９】同上の刃受け皿の裏面に取り付けられるヒータの分解斜視図である。
【図１０】同上の体毛処理器具用乾燥器の動作開始から終了に至るまでに実行される運転モードの動作説明図である。
【図１１】同上の制御部に関連するブロック図である。
【図１２】同上のヒータの制御フロー図である。
【図１３】同上の乾燥運転時及び除菌運転時における刃部の刃面温度と時間との関係を示すグラフである。
【符号の説明】
【００４９】
１  体毛処理器具用乾燥器
３  蓋
４  乾燥用空間
４ｂ  刃部挿入口
６  ヒータ
７  ファン
１４  突起部
１５  充電用端子
２６  制御部
３０  体毛処理器具
３１  体毛処理器具本体
３２  刃部
【図１】
2008279209.tif 000003
【図２】
2008279209.tif 000004
【図３】
2008279209.tif 000005
【図４】
2008279209.tif 000006
【図５】
2008279209.tif 000007
【図６】
2008279209.tif 000008
【図７】
2008279209.tif 000009
【図８】
2008279209.tif 000010
【図９】
2008279209.tif 000011
【図１０】
2008279209.tif 000012
【図１１】
2008279209.tif 000013
【図１２】
2008279209.tif 000014
【図１３】
2008279209.tif 000015